(57)【特許請求の範囲】
【請求項１】
気密封止され且つ電離可能な充填材を含み且つ空洞を有する管球を具えた無電極の低圧放電ランプであって、この空洞内では導電体からなる第１巻回体及び第２巻回体を有する長細いコイルを、この空洞の内方に指向したチップを有するコイルフォーマの回りに配置し、これら第１及び第２巻回体には前記コイルフォーマの前記チップに向いた第１端部を各々設け、反対側には第２端部を各々設け、前記第２巻回体の第１端部を自由端とし且つ第２端部を前記第１巻回体の第１端部に電気的に接続した無電極の低圧放電ランプにおいて、
前記第２巻回体を形成した導電体を前記第２巻回体の第１端部から前記コイルフォーマの前記チップの窪みの内側まで延在させ、そこで前記第２巻回体をクランプさせたことを特徴とする無電極の低圧放電ランプ。
【請求項２】
前記導電体が前記窪みの内側で端を成すようにしたことを特徴とする請求項１に記載の無電極の低圧放電ランプ。
【請求項３】
前記窪みが更に、外周側に設けられた幅の広い領域を有しており、前記導電体がこの幅の広い領域で端を成すようにしたことを特徴とする請求項２に記載の無電極の低圧放電ランプ。
【請求項４】
第１巻回体及び第２巻回体を共に切れ目のない導電体から形成し、導電体の部分を前記第１及び第２巻回体の間の第１巻回体の第１端部から電気接点を介して前記第２巻回体の第２端部まで延在させたことを特徴とする請求項１、２或いは３に記載の無電極の低圧放電ランプ。
【請求項５】
前記コイルフォーマにより軟磁性材料のコアを包囲し、前記第１巻回体及び前記第２巻回体のそれぞれに、前記チップから軟磁性材料の前記コアを超えて軸線方向に延在するターンの各々を設け、前記第２巻回体に、前記第１巻回体の前記第１端部と前記コイルフォーマの前記チップとの間に軟磁性材料の前記コアを超えて軸線方向に延在する更なるターンを設けることを特徴とする請求項１乃至４のいずれか１項に記載の無電極の低圧放電ランプ。
【発明の詳細な説明】
本発明は、気密封止され且つ電離可能な充填材を含み空洞を有する管球を具える低圧放電ランプであって、この空洞内では導電体からなる第１巻回体及び第２巻回体を有する長細いコイルを、この空洞の内方に指向したチップを有するコイルフォーマの回りに配置し、これら第１及び第２巻回体にはコイルフォーマのチップに向いた第１端部を各々設け、反対側には第２端部を各々設け、第２巻回体の第１端部を自由端とし且つ第２端部を第１巻回体の第１端部に電気的に接続した無電極の低圧放電ランプに関するものである。
このような無電極の低圧放電ランプは、欧州特許出願公開明細書第１６２５０４号により知られている。第１巻回体は、その端部により管球に固着され且つランプキャップを支持するハウジング内に収容された高周波電源に接続されている。動作中には管球内の放電を維持するようにコイルの第１巻回体により高周波磁界が生じる。第１巻回体の電位勾配（potentialgradient）とは反対の電位勾配を生じる第２巻回体は、電磁干渉を制限するように作用する。
本発明の目的は、第２巻回体の自由端を容易に固着できる簡単な構造を有する明細書前文に記載の種類のランプを提供することにある。
本発明は、このような目的を達成するために、第２巻回体を形成した導電体を第２巻回体の第１端部からコイルフォーマのチップの窪みの内側まで延在させ、そこで第２巻回体をクランプさせたことを特徴とする。導電体をこの窪みに挿入することによりこの構造体に容易に接続することができる。第２巻回体の第１端部で導電体を保持するための別個の構成部材は必要ない。導電体を窪みに挿入するまでは、導電体には端部を与えないことが好適である。この場合、導電体を窪みに挿入する際に、後に不必要となる部分により導電体を保持できることから、導電体を扱うのが容易となる。導電体を、例えば続いて切断される不必要な部分で引っ張ることにより、窪みに挿入することができる。
導電体を窪みの内側で端を成すようにすると安全面では好適であり、この結果管球を取り除かれた場合でも導電体に触れなくて済む。
本発明による無電極の低圧放電ランプの好適な実施例は、導電体が窪みの幅の広い領域で端を成すことを特徴とする。導電体を窪みに挿入した後でも導電体を窪みの幅の広い領域で切断して端部を簡単に形成することができる。これにはチップの横方向に幅の広い領域に押し込む切断部材を使用するのが好適である。
本発明による低圧放電ランプの好適な実施例は、第１巻回体及び第２巻回体を共に切れ目のない導電体から形成し、導電体の部分を第１及び第２巻回体の間の第１巻回体の第１端部から電気接点を介して第２巻回体の第２端部まで延在させたことを特徴とする。第２巻回体の第２端部を接続するための別個の電気接点は必要ない。それ故にこの実施例は、２個の電気接点で十分であり、又コイルの製造中にはただ２個の電気接点に導電体を固着するだけでよいという利点を有する。迅速に配置するのには電気接点をクランプさせることが好適である。これらの電気接点に、導電体を電気接点に接続するか或いは導電体の絶縁シースを突き刺すナイフエッジを設ける。コイルフォーマに、導電体の相互に交差する部分を互いに離間するくし形部材を設ける場合には絶縁シースはなくてもよい。しかしながら、コイルに触れても安全にするには、導電体に絶縁シースを設けることが好適である。
本発明による無電極の低圧放電ランプの他の好適な実施例は、コイルフォーマにより軟磁性材料のコアを包囲し、第１巻回体及び第２巻回体に、チップから軟磁性材料のコアを超えて軸線方向に延在するターンを設け、第２巻回体に、第１巻回体の第１端部とコイルフォーマのチップとの間に軟磁性材料のコアを超えて軸線方向に延在する更なるターンを設けることを特徴とする。ランプのパラメータ、例えば充填材の特性が変化したときには、コイルの自己インダクタンスを、コアの回りのターンの選択により調整することができる。続いて所望な場合には、コアを超えて基盤に向かって延在する第１及び第２巻回体のターンの数及び位置を選択することによりランプの点弧電圧に影響を及ぼすことができる。次いで、ランプにより発生する電磁妨害を、コイルの自己インダクタンスまたはランプの点弧動作にほとんど影響を与えることなく第２巻回体の更なるターンにより抑制することができる。
無電極の低圧放電ランプにより、電源ユニットを更に有する照明ユニットの一部分を形成することができる。この電源ユニットを、例えば無電極の低圧放電ランプと一体とすること、例えば管球に固着したハウジング内に収容すること、或いはケーブルを介してランプに接続することによりランプから離間させることができる。
本発明のこれらの及び他の態様を図面により以下に詳細に説明する。
図１に示した無電極の低圧放電ランプには、気密封止され且つカラー１１に固着された管球１を設ける。管球１は電離可能な充填材、ここでは水銀及び希ガスの充填材を含む。管球１には、内表面に発光体層を設ける。或いは又他の実施例においては、管球の充填材にナトリウムを具え、発光体層を設けない。管球には、コイル２を配置する空洞１０を設け、このコイルにはコイルフォーマ３の回りに導電体２０の第１及び第２巻回体２１、２２を設ける。この場合は、直径が０．１５ｍｍで図２の破線で示した導電体２０に、直径０．８５ｍｍの絶縁シース２０’を設ける。コイルフォーマ３には、空洞１０の内方へ指向するチップ３０を設け、このチップと反対側には基盤３１を設ける。軟磁性材料の中空円筒状であって且つ軸線４０を有するコア４（破線で示した）をコイルフォーマ３内に収容する。軟磁性材料のコア４は、コイルフォーマ３のチップ３０とは反対側にフランジ付きの端部５０を有する金属熱伝導体５の回りに配置する。この熱伝導体５は、図面を明瞭とするために、図１では長手方向断面内で一部分を示した。巻回体２１、２２は、コイルフォーマのチップ３０側に位置する第１端部２１ａ、２２ａとこれらと反対側の端部２１ｂ、２２ｂとをそれぞれ有する。第２巻回体の第１端部２２ａを自由端とし、第２端部２２ｂを、第１巻回体２１の第１端部２１ａに電気的に接続する。第１巻回体２１を形成する導電体２０を、第１巻回体の第１及び第２端部２１ａ、２１ｂからそれぞれ第１及び第２電気接点２３ａ、２３ｂまで、即ちコイルフォーマ３の基盤３１まで延在させる。コイル２の第２巻回体２２を形成する導電体２０を第２巻回体の第２端部２２ｂから、第１電気接点２３ａに電気的に接続した第３電気接点２３ｃまで延在させる。前記導電体２０を第２巻回体２２の第１端部２２ａからコイルフォーマ３のチップ３０に形成した窪み３２に深さ４ｍｍまで延在させ、そこでクランプさせる（図２及び３も参照）。導電体２０をここでは、コイルフォーマ３の突起３３に沿って案内する。或いは又、例えば第２巻回体の第１端部をコイルフォーマのチップ内の窪みと一致させる場合には、このような突起を使用しなくてもよい。電気接点２３ａ乃至２３ｃを絶縁材料のキャップ６により包囲し、このキャップにより熱伝導体５のフランジ付きの端部５０と、コイルフォーマ３と、カラー１１とを固着する。
図示した実施例では、導電体２０が窪み３２の内側で端部を成すようにする。
ここでは導電体２０が、窪み３２の、幅５ｍｍの、幅の広い領域３２ａで端部を形成するようにする。導電体２０を、チップ３０に対して横方向に窪み３２の幅の広い領域３２ａ内へ押し込むカッタにより切断する。導電体３０を、第１に幅の広い領域３２ａの近傍の比較的強く狭くした部分３２ｂと、第２に導電体２０が第２巻回体２２から窪み３２に進入する部分に近い比較的緩やかに狭くした部分３２ｃとによりクランプさせて保持する。切断中には、導電体２０を、比較的強く狭くした部分３２ｂに対して幅の広い部分３２ａとは反対側に位置する押圧部材により大きな圧力を加える。比較的強く狭くした部分３２ｂの幅を、幅の広い領域３２ａから見て０．８ｍｍから０．２５ｍｍまで変化させる。比較的緩やかに狭くした部分３２ｃの幅を、０．７ｍｍに一定とする。
第１及び第２巻回体２１、２２には、チップ３０とは反対側の軸線方向に軟磁性材料のコア４を超えて延在するターン２１ｃ及び２２ｃを設ける。第２巻回体２２には、軟磁性材料のコア４を超えて第１巻回体２１の第１端部２１ａとコイルフォーマ３のチップ３０との間を軸線方向に延在する更なるターン２２ｄも設ける。
本発明によるランプの第２実施例のコイル１０２を図４に示す。ここで上述した図面に示す構成部材に対応する構成部材には、前記図面の構成部材よりも１００だけ大きい数字を付した。図４に示したコイル１０２において、第１及び第２巻回体１２１、１２２を連続した導電体１２０から連帯して形成する。導電体１２０の部分１２０ａを、第１及び第２巻回体１２１、１２２との間の第１巻回体１２１の第１端部１２１ａから電気接点１２３ａを介して第２巻回体１２２の第２端部１２２ｂまで延在させる。図５により詳細に示した電気接点１２３ａには、導電体１２０の絶縁シース１２０’を切断し且つ導電体をクランプさせるナイフエッジ１２３ａ′、１２３ａ″を設ける。
【図面の簡単な説明】
図１は、正面図で示したコイルを有する本発明によるランプの第１実施例の長手方向断面図である。
図２は、図１のランプをコイルフォーマの方向IIから詳細に見たものである。
図３は、図１のランプのコイルフォーマを線III−IIIで切った長手方向の断面図である。
図４は、本発明によるランプの第２実施例のコイルを示したものである。
図５は、図４の線Ｖ−Ｖで切った断面を示したものである。
【図１】
0003970933.tif 000002
【図２】
0003970933.tif 000003
【図３】
0003970933.tif 000004
【図４】
0003970933.tif 000005
【図５】
0003970933.tif 000006